(57)【要約】  本発明は安全キャップに関するもので、本発明による安全キャップは、内容物が収容される容器本体の上部にねじ結合されて、容器の排出部を開閉させるが、外蓋が閉鎖方向に回転する時に、外蓋の係止突起が内蓋の突出片と噛み合って、外蓋と内蓋が一緒に回転されるように構造を設計することによって、閉鎖が容易で、且つ、生産過程で自動キャッピングが可能な安全キャップに関する。【選択図】なし
2013545681.tif 000002
【特許請求の範囲】
【請求項１】
内容物が収容される容器本体の上部にねじ結合されて、容器の排出部を開閉させる安全キャップにおいて、
前記容器本体の上部を囲んでねじ結合されるように、内周面に螺糸山が形成され、上端には所定間隔離隔された複数の突出片が形成され、下端には使用者が把持して回転させるための回転表示部が具備される内蓋と；
前記内蓋を囲んで結合されるが、上端内側には下方向に突出して形成されて、閉鎖方向に回転する時に、前記突出片によって固定されて内蓋を回転させる係止突起が具備され、下部には前記回転表示部を囲んで脱離可能に結合されるキャップ固定帯が具備される外蓋と；を含むことを特徴とする安全キャップ。
【請求項２】
前記係止突起は一側から他側方向へ緩やかな傾斜を形成し、外蓋を開放方向に回転する時に、係止突起の傾斜によって、前記突出片の上端を加圧して移動されるように構成されることを特徴とする請求項１に記載の安全キャップ。
【請求項３】
前記突出片は、前記外蓋が開放方向に回転する時、係止突起の加圧によって下方向に移動してから復元される弾性材質で形成されることを特徴とする請求項２に記載の安全キャップ。
【請求項４】
前記キャップ固定帯は、前記内蓋の回転表示部を囲んで結合される結合部と、前記結合部の先端部に形成される取っ手部とで構成されることを特徴とする請求項１に記載の安全キャップ。
【請求項５】
前記回転表示部の外周面には滑り防止突起が形成されることを特徴とする請求項１に記載の安全キャップ。
【発明の詳細な説明】
【技術分野】
【０００１】
本発明は安全キャップに関するもので、さらに詳しくは、外蓋を閉鎖方向に回転する時に、外蓋の係止突起が内蓋の突出片と噛み合って、外蓋と内蓋が一緒に回転されるように構造を設計することによって、閉鎖が容易で、且つ、生産過程で自動キャッピングが可能な安全キャップに関する。
【背景技術】
【０００２】
一般に、キャップは容器本体の上部に結合されて、容器本体に収容された内容物が外部に流出されることを防止し、また内容物の汚染を防止する役割を果たす。
【０００３】
このようなキャップは、容器本体に収容された螺糸山にねじ結合を通じて一側または他側への回転によって誰でも容易に開閉できるように構成されるが、識別力の劣っている子供によってキャップが開放されて内容物が流出されることから、不必要に内容物が無駄使いされることが発生する。特に、容器本体に人体に有害な内容物が収容されている場合、これを認知することができない子供が内容物を服用して事故が頻繁に発生している。
【０００４】
このような問題点を解消するために、キャップの上側を下方に押して加圧する時のみキャップが開放されることができる構造、及びキャップの両側面を加圧する時のみキャップが開放されることができる構造など子供が簡単にキャップを開放することができないように設計された安全キャップが多様に開発されている。
【０００５】
以下では、韓国登録実用新案第０４２２３１８号「容器安全キャップ」を参照して、従来の安全キャップを説明する。上記韓国登録実用新案によれば、従来の安全キャップは、子供が簡単に開くことができないように構成された容器安全キャップにおいて、上記容器安全キャップ１０は、容器本体１にねじ結合される内蓋１１と、上記内蓋１１で空転可能に組み立てられた外蓋１５とで構成されるが、上記内蓋１１の下部側に指先だけで把持可能な狭い幅を有する把持部１２とが形成されることを特徴とする。
【０００６】
しかし、上記のような従来の安全キャップは、子供がキャップを簡単に開放することができないようにすることが可能であったが、閉鎖時にも、上記把持部１２を把持してこそキャップを閉鎖することができる構造であるため、狭い幅を有する把持部１２によって閉鎖も容易でなくて、使用者の不便を与えるという問題点があった。
【０００７】
また、把持部１２を把持してこそキャップを閉鎖することができる構造であるため、生産過程で自動キャッピングが不可能で、手動でキャッピングすることにより、キャッピングのための時間がたくさんかかるという問題点があった。
【発明の概要】
【発明が解決しようとする課題】
【０００８】
本発明は上述した問題点を解決するために案出されたもので、本発明の目的は、外蓋を閉鎖方向に回転する時に、外蓋の係止突起が内蓋の突出片と噛み合って、外蓋と内蓋が一緒に回転されるように構造を設計することによって、閉鎖が容易で、且つ、生産過程で自動キャッピングが可能な安全キャップを提供することにある。
【０００９】
また、内蓋の回転表示部を加圧した状態で回転させてこそキャップが開放されるように構造を設計することによって、これを認知することができない子供がキャップを開放することができないようにして、子供が人体に有害な物質を服用することを遮断して、内容物が不必要に無駄使いされることを防止することができる安全キャップを提供することにある。
【課題を解決するための手段】
【００１０】
上記のような問題点を解決するために、本発明による安全キャップは、内容物が収容される容器本体の上部にねじ結合されて、容器の排出部を開閉させる安全キャップにおいて、上記容器本体の上部を囲んでねじ結合されるように、内周面に螺糸山が形成され、上端には所定間隔離隔された複数の突出片が形成され、下端には使用者が把持して回転させるための回転表示部が具備される内蓋と；上記内蓋を囲んで結合されるが、上端内側には下方向に突出して形成されて、閉鎖方向に回転する時に、上記突出片によって固定されて、内蓋を回転させる係止突起が具備され、下部には上記回転表示部を囲んで脱離可能に結合されるキャップ固定帯が具備される外蓋と；を含むことを特徴とする。
【００１１】
また、上記係止突起は一側から他側方向へ緩やかな傾斜を形成するようになり、外蓋を開放方向に回転させる時に、係止突起の傾斜によって上記突出片の上端を加圧して移動されるように構成されることを特徴とする。
【００１２】
また、上記突出片は上記外蓋が開放方向に回転する時に、係止突起の加圧によって下方向に移動してから復元される弾性材質で形成されることを特徴とする。
【００１３】
また、上記キャップ固定帯は、上記内蓋の回転表示部を囲んで結合される結合部と、上記結合部の先端部に形成される取っ手部とで構成されることを特徴とする。
【００１４】
また、上記回転表示部の外周面には滑り防止突起が形成されることを特徴とする。
【発明の効果】
【００１５】
上述したように、本発明によれば、外蓋を閉鎖方向に回転させる時に、外蓋の係止突起が内蓋の突出片と噛み合って、外蓋と内蓋が一緒に回転されるように構造を設計することによって、閉鎖が容易で、且つ、生産過程で自動キャッピングが可能であるという長所がある。
【００１６】
また、内蓋の回転表示部を加圧した状態で回転させてこそキャップが開放されるように構造を設計することによって、これを認知することができない子供がキャップを開放することができないようにして、子供が人体に有害な物質を服用することを遮断して、内容物が不必要に無駄使いされることを防止することができるという長所がある。
【図面の簡単な説明】
【００１７】
【図１】本発明の好ましい実施例による安全キャップの構成を示す分解斜視図である。
【図２】本発明の好ましい実施例による安全キャップの構成を示す結合断面図である。
【図３】本発明の好ましい実施例による安全キャップの外蓋が分解された状態を示す分解断面図である。
【図４】本発明の好ましい実施例による安全キャップの外蓋の回転による突出片と係止突起の移動状態を示す説明図である。
【図５】本発明の好ましい実施例による安全キャップの外蓋の回転による突出片と係止突起の移動状態を示す説明図である。
【図６】本発明の好ましい実施例による安全キャップの外蓋の回転による突出片と係止突起の移動状態を示す説明図である。
【図７】本発明の好ましい実施例による安全キャップが開放される過程を示す説明図である。
【発明を実施するための形態】
【００１８】
以下、図面を参照して本発明を詳しく説明する。各図面に提示された同じ参照符号は同じ部材を示す。
【００１９】
図１は本発明の好ましい実施例による安全キャップの構成を示す分解斜視図であり、図２は本発明の好ましい実施例による安全キャップの構成を示す結合断面図であり、図３は本発明の好ましい実施例による安全キャップの外蓋が分解された状態を示す分解断面図である。
【００２０】
図４〜図６は本発明の好ましい実施例による安全キャップの外蓋の回転による突出片と係止突起の移動状態を示す説明図であり、図７は本発明の好ましい実施例による安全キャップが開放される過程を示す説明図である。
【００２１】
図１〜図７によれば、本発明の好ましい実施例による安全キャップは、内蓋１００と外蓋２００とを含む。
【００２２】
上記内蓋１００は内容物が収容される容器本体１０の上部に形成された螺糸山１１にねじ結合されるもので、螺糸山１１とねじ結合可能に、その内周面に螺糸山１１０が形成される。
【００２３】
本発明において、上記内蓋１００の上端には所定間隔離隔された複数の突出片１２０が形成されることを特徴とし、上記突出片１２０は、後述する外蓋２００が開放または閉鎖方向へ回転する時に、係止突起２１０を固定及び移動できるようにする。
【００２４】
上記突出片１２０は、上記内蓋１００の上端で、上方向に突出されるように射出される。本発明において、上記突出片１２０は弾性材質で形成されることを特徴とし、内蓋１００に後述する外蓋２００を結合する時に、外蓋２００の加圧によって、突出片１２０が内側方向に曲げられて係止突起２１０を固定及び移動できるようにする。
【００２５】
上記突出片１２０は、外蓋２００の加圧時に内側方向に曲がることが容易になるように、その上端部が外側から内側方向へ行くほど高くなる傾斜面を形成することが好ましい。
【００２６】
また、上記突出片１２０は弾性材質で形成されることによって、後述する外蓋２００を把持した状態で開放方向に回転させる時に、係止突起２１０の加圧によって下方向に移動してから復元されるようになる。これによって、係止突起２１０と噛み合わないので、外蓋２００が空転する現象によって子供が本発明の安全キャップを開放することを遮断する。
【００２７】
一方、本発明において、上記内蓋１００の下端には使用者が把持して回転させるための回転表示部１３０が具備されることが特徴とし、上記回転表示部１３０は、後述する外蓋２００のキャップ固定帯２２０が外蓋２００に結合された状態、即ち、最初使用前には外部に露出されない状態で存在し、キャップ固定帯２２０が外蓋２００から脱離する際に外部に露出されるように構成される。
【００２８】
上記回転表示部１３０は、使用者が上記回転表示部１３０を把持した状態で、内蓋１００を回転させることが容易になるように、その外周面に滑り防止突起１３１が形成されることが好ましい。
【００２９】
一方、上記容器本体１０の排出部１２の上端には内容物が流出されることを防止するように、シーリング部材３００が結合されることが好ましい。
【００３０】
上記外蓋２００は上記内蓋１００を囲んで結合されて、閉鎖方向に回転する際に、上記突出片１２０に固定されて内蓋１００を回転させるもので、本発明において、上記外蓋２００の上端内側には下方向に突出して形成されて、閉鎖方向に回転する際に、内蓋１００に形成された突出片１２０によって固定されて、内蓋１００を一緒に回転させる係止突起２１０が具備されることを特徴とする。
【００３１】
上記係止突起２１０は一側から他側方向へ高くなる緩やかな傾斜を形成し、他側の端部は９０度に近い急激な傾斜面を形成する。これによって、外蓋２００が閉鎖方向に回転する時には、係止突起２１０の他側端部を形成する急激な傾斜面が上記突出片１２０に噛み合って固定されて、外蓋２００の回転によって、内蓋１００を一緒に回転させてキャップを閉鎖し、外蓋２００が開放方向に回転する時、係止突起２１０の緩やかな傾斜面を成す部分が突出片１２０の上端を加圧しながら移動して、外蓋２００が空転する現象が発生する。
【００３２】
一方、上記外蓋２００の下部には上記回転表示部１３０を囲んで、外蓋２００から脱離可能に結合されるキャップ固定帯２２０が具備されることを特徴とし、上記キャップ固定帯２２０は、上記外蓋２００の下端で上記内蓋１００の回転表示部１３０を囲んで結合される結合部２２１と、使用者が把持してキャップ固定帯２２０を脱離させることが容易になるように、結合部２２１の先端部に形成される取っ手部２２２とで構成される。
【００３３】
上記キャップ固定帯２２０は上記回転表示部１３０を囲んで位置し、使用者によって一側へ回転する時、外蓋２００から脱離して、回転表示部１３０を外部に露出させることによって、回転表示部１３０を通じる安全キャップの開放を可能にする。
【００３４】
以下では、図４〜図７を参照して本発明の好ましい実施例による安全キャップの開閉過程を説明する。
【００３５】
図４〜図６は本発明の好ましい実施例による安全キャップの外蓋の回転による突出片と係止突起の移動状態を示す説明図であり、図７は本発明の好ましい実施例による安全キャップが開放される過程を示す説明図である。
【００３６】
まず、図４及び図６によれば、本発明の好ましい実施例による安全キャップを閉鎖する際には、使用者が外蓋２００を把持した状態で、閉鎖方向に外蓋２００を回転させる。外蓋２００が回転されると、外蓋２００の上端内側で下方向に突出して形成された係止突起２１０が一緒に回転し、上記回転突起２１０の回転によって、回転突起２１０の急激な傾斜部分である他側面が上記突出片１２０に噛み合って固定されて、内蓋１００を一緒に回転させる。これによって、使用者は一般のねじ結合式キャップを容器本体に閉める時と同じくキャップを閉めることができる。
【００３７】
次に、図７を参照すれば、本発明の好ましい実施例による安全キャップを開放する際には、使用者がキャップ固定帯２２０の取っ手部２２２を把持して一側に回転させると、外蓋２００の下端部を構成するキャップ固定帯２２０が外蓋２００から脱離される。キャップ固定帯２２０が外蓋２００から脱離されると、内蓋１００の回転表示部１３０が外部に露出され、使用者が回転表示部１３０を加圧した状態で、内蓋１００を開放方向に回転させることによって、安全キャップが開放される。
【００３８】
本発明の安全キャップは、内蓋１００の突出片１２０と外蓋２００の係止突起２１０の構造を通じて、キャップを閉鎖する際に、一般のねじ結合式キャップを容器本体に閉める時と同じ方式で簡単にキャップを閉めることができるようにすることによって、生産過程で自動キャッピングが可能になって、生産費用及び時間を節減することができる。
【００３９】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2013545681.tif 000003
【図２】
2013545681.tif 000004
【図３】
2013545681.tif 000005
【図４（ａ）】
2013545681.tif 000006
【図４（ｂ）】
2013545681.tif 000007
【図５（ａ）】
2013545681.tif 000008
【図５（ｂ）】
2013545681.tif 000009
【図６（ａ）】
2013545681.tif 000010
【図６（ｂ）】
2013545681.tif 000011
【図７（ａ）】
2013545681.tif 000012
【図７（ｂ）】
2013545681.tif 000013
【国際調査報告】
2013545681.tif 000014
2013545681.tif 000015
2013545681.tif 000016
2013545681.tif 000017